(57)【要約】【課題】ヘドロ状の半固形物の取りこぼしを少なくし、高い清掃能力を確保できる乗客コンベアのチェーン清掃装置を提供する。【解決手段】複数の踏段と、これら各踏段を無端状に連結する踏段チェーン等の各種のチェーン３とを備えた乗客コンベアに取り付けられ、チェーン３を走行させて清掃する乗客コンベアのチェーン清掃装置９において、チェーン３を挿通させる穴部１２と、この穴部１２へチェーン３を挿通するチェーン挿通部１３と、穴部１２から複数切込まれてチェーン３に摺接する切込部１４とが形成されると共に、弾性を有する薄板材１０を備えた。【選択図】図４
2010168160.tif 000002
【特許請求の範囲】
【請求項１】
複数の踏段と、これら各踏段を無端状に連結する踏段チェーン等の各種のチェーンとを備えた乗客コンベアに取り付けられ、前記チェーンを走行させて清掃する乗客コンベアのチェーン清掃装置において、
前記チェーンを挿通させる穴部と、この穴部へ前記チェーンを挿通するチェーン挿通部と、前記穴部から複数切込まれて前記チェーンに摺接する切込部とが形成されると共に、弾性を有する薄板材を備えたことを特徴とする乗客コンベアのチェーン清掃装置。
【請求項２】
請求項１に記載の乗客コンベアのチェーン清掃装置において、
前記チェーンを挿通させる箱状体を備え、前記箱状体は両端の少なくとも一方の近傍に前記薄板材を備えたことを特徴とする乗客コンベアのチェーン清掃装置。
【請求項３】
請求項２に記載の乗客コンベアのチェーン清掃装置において、
前記乗客コンベアは、前記チェーンに摺接する摺接部を有して前記チェーンの切断を検出するチェーン切断検出装置を備えたものから成り、
前記箱状体が前記チェーン切断検出装置を取り付ける取付用穴部を備えると共に、前記摺接部を収容したことを特徴とする乗客コンベアのチェーン清掃装置。
【発明の詳細な説明】
【技術分野】
【０００１】
本発明は、乗客コンベアに備えられる各種のチェーンを清掃する乗客コンベアのチェーン清掃装置に関するものである。
【背景技術】
【０００２】
一般に、多くの人に利用される乗客コンベアは、複数台の踏段と、これらの踏段を無端状に連結する踏段チェーン等の各種チェーンと、これらのチェーンを駆動させる駆動装置と、各踏段が走行するレールとを備えており、踏段チェーンを駆動装置で循環移動させることによって各踏段がレール上を循環走行する。また、それぞれのチェーンは、複数のリンクプレートをそれぞれローラ部で連結することによって構成されており、円滑に循環走行するように各リンクプレートには定期的に潤滑油が供給される。
【０００３】
しかしながら、踏段あるいはレール等に堆積した塵埃が舞い上がることにより、塵埃がチェーンに付着して潤滑油と混ざり合うと、ヘドロ状の半固形物を形成する。そして、このヘドロ状の半固形物がリンクプレートを覆うと、リンクプレートの各部に適切に潤滑油が供給されなくなる。そのため、この状態においてチェーンを循環移動させると、最終的にチェーンが切断されるという問題があった。
【０００４】
そこで、このような問題を解決するために、乗客コンベアの固定部材に取り付けられて踏段チェーンに摺接させた清掃ブラシを備え、踏段チェーンを循環移動させて清掃することによって、踏段チェーンに付着した塵埃等を除去する乗客コンベアのチェーン清掃装置が提案されている（例えば、特許文献１参照）。
【先行技術文献】
【特許文献】
【０００５】
【特許文献１】特開平１０−２１８５４７号公報
【発明の概要】
【発明が解決しようとする課題】
【０００６】
しかしながら、特許文献１に開示された乗客コンベアのチェーン清掃装置では、清掃ブラシを踏段チェーンと摺接させた状態で踏段チェーンを循環移動させることにより、清掃ブラシの毛が踏段チェーンから移動に伴う摩擦力を常に受ける。そのため、清掃ブラシの毛が移動方向へ曲がった状態となるので、清掃ブラシの踏段チェーンに対する抵抗力が低下すると共に、踏段チェーンに清掃ブラシが当接しない部分が生じ、ヘドロ状の半固形物の取りこぼし等が生じる。このように、該チェーン清掃装置は清掃能力が低いという問題がある。
【０００７】
本発明は、このような従来技術の実情に鑑みてなされたもので、その目的は、ヘドロ状の半固形物の取りこぼしを少なくし、高い清掃能力を確保できる乗客コンベアのチェーン清掃装置を提供することにある。
【課題を解決するための手段】
【０００８】
上記の目的を達成するために、本発明の乗客コンベアのチェーン清掃装置は、複数の踏段と、これら各踏段を無端状に連結する踏段チェーン等の各種のチェーンとを備えた乗客コンベアに取り付けられ、前記チェーンを走行させて清掃する乗客コンベアのチェーン清掃装置において、前記チェーンを挿通させる穴部と、この穴部へ前記チェーンを挿通するチェーン挿通部と、前記穴部から複数切込まれて前記チェーンに摺接する切込部とが形成されると共に、弾性を有する薄板材を備えたことを特徴としている。
【０００９】
このように構成した本発明では、薄板材のチェーン挿通部をチェーンに押し当て穴部にチェーンを挿通させると、切込部がその切込によってチェーンの移動方向に垂直するチェーンの断面外周面上に確実に当接する。この状態においてチェーンを循環移動させると、チェーンを循環移動させても元の位置に戻ろうとする弾性力が働き、この弾性力によって抵抗力を損なうことなくチェーンに追従することができる。そのため、チェーンに付着したヘドロ状の半固形物を確実に除去することができ、ヘドロ状の半固形物の取りこぼしを少なくすることができる。このように、該チェーン清掃装置の着脱作業が簡便であると共に、高い清掃能力を確保することができる。
【００１０】
また、本発明に係る乗客コンベアのチェーン清掃装置では、前記チェーンを挿通させる箱状体を備え、前記箱状体は両端の少なくとも一方の近傍に前記薄板材を備えたことを特徴としている。
【００１１】
このように構成した本発明では、薄板材の切込部によって除去したヘドロ状の半固形物を箱状体の中に収めることができるので、除去したヘドロ状の半固形物が飛散することを防止することができ、飛散によって再度チェーンに付着することを防止することができる。
【００１２】
また、本発明に係る乗客コンベアのチェーン清掃装置では、前記乗客コンベアは、前記チェーンに摺接する摺接部を有して前記チェーンの切断を検出するチェーン切断検出装置を備えたものから成り、前記箱状体が前記チェーン切断検出装置を取り付ける取付用穴部を備えると共に、前記摺接部を収容したことを特徴としている。このように構成すると、チェーン切断検出装置と一体型とすることができるので、容易に設置することができると共に、スペースを取ることなく安定した配置を実現することができる。
【発明の効果】
【００１３】
本発明の乗客コンベアのチェーン清掃装置では、弾性を有する薄板材が、チェーンを挿通させる穴部と、この穴部へチェーンを挿通するチェーン挿通部と、穴部から複数切込まれてチェーンに摺接する切込部とを有する。薄板材のチェーン挿通部をチェーンに押し当て穴部にチェーンを挿通させると、切込部がその切込によってチェーンの移動方向に垂直するチェーンの断面外周面上に確実に当接する。この状態においてチェーンを循環移動させると、チェーンを循環移動させても元の位置に戻ろうとする弾性力が働き、この弾性力によって抵抗力を損なうことなくチェーンに追従することができる。そのため、チェーンに付着したヘドロ状の半固形物を確実に除去することができ、ヘドロ状の半固形物の取りこぼしを少なくすることができる。これにより、高い清掃能力を確保することができる。また、薄板材のチェーン挿通部をチェーンに挿通させるだけで簡便に取り付け、取り外すことができるので、該チェーン清掃装置の着脱作業が簡便であり、利便性がよい。
【図面の簡単な説明】
【００１４】
【図１】乗客コンベアに備えられるチェーンの取付状態の一例を示す側面図である。
【図２】図１に示すチェーンの要部を拡大して示す側面図である。
【図３】図２のＡ−Ａ線に沿う断面図である。
【図４】本発明の一実施形態に係る乗客コンベアのチェーン清掃装置の構成を示す斜視図である。
【図５】本発明の一実施形態に係る乗客コンベアのチェーン清掃装置の取付状態を示す側面図である。
【図６】本発明の一実施形態に係る乗客コンベアのチェーン清掃装置に備えられる薄板材が図２に示すＡ−Ａ線上に位置した状態を示す断面図である。
【図７】本発明の一実施形態に係る乗客コンベアのチェーン清掃装置に備えられる薄板材が図２に示すＢ−Ｂ線上に位置した状態を示す断面図である。
【発明を実施するための形態】
【００１５】
以下、本発明に係る乗客コンベアのチェーン清掃装置を実施するための形態を図に基づいて説明する。
【００１６】
図１は本発明の一実施形態に係る乗客コンベアのチェーン清掃装置が用いられる乗客コンベアにおけるチェーンの取付状態の一例を示す側面図、図２は図１に示すチェーンの要部を拡大して示す側面図、図３は図２のＡ−Ａ線に沿う断面図、図４は本発明の一実施形態に係る乗客コンベアのチェーン清掃装置の構成を示す斜視図、図５は本発明の一実施形態に係る乗客コンベアのチェーン清掃装置の取付状態を示す側面図、図６は本発明の一実施形態に係る乗客コンベアのチェーン清掃装置に備えられる薄板材が図２に示すＡ−Ａ線上に位置した状態を示す断面図、図７は本発明の一実施形態に係る乗客コンベアのチェーン清掃装置に備えられる薄板材が図２に示すＢ−Ｂ線上に位置した状態を示す断面図である。
【００１７】
本発明の一実施形態に係る乗客コンベアのチェーン清掃装置は、乗客コンベアに備えられた複数の踏段を無端状に連結する踏段チェーン等の各種チェーンに取り付けられ、例えば図１に示すように、駆動スプロケット１と、この駆動スプロケット１に追従する従動スプロケット２とに巻き掛けられたチェーン３に取り付けられる。このチェーン３は駆動スプロケット１を駆動させることによって循環移動する。また、チェーン３にはこのチェーン３に摺接する摺接部４ａを有してチェーン３の切断を検出するチェーン切断検出装置４が備えられている。
【００１８】
図２、図３に示すように、チェーン３は、内側に一対の内リンクプレート５と、これら一対の内リンクプレート５の外側に一対の外リンクプレート６とがローラ部７を介して互いに回動可能に連結され、これら内リンクプレート５及び外リンクプレート６が複数交互に連結されて無端状となった構造を有している。そして、これら内リンクプレート５及び外リンクプレート６の各部に潤滑油が定期的に供給され、上述したように付着した塵埃等と混ざり合うことでヘドロ状の半固形物８が内リンクプレート５及び外リンクプレート６の面上に形成される。なお、内リンクプレート５及び外リンクプレート６に欠損等が生じている場合、チェーン３に摺接する摺接部４ａが一定値以上変位すると、チェーン切断検出装置４が異常を検出する。
【００１９】
図４に示すように、本発明の一実施形態に係る乗客コンベアのチェーン清掃装置９は、一対の薄板材１０と、これらの薄板材１０を両端近傍でそれぞれ保持する薄板材保持部１１とを備えている。この薄板材１０は、チェーン３を挿通させる穴部１２と、この穴部１２の側面から外側へ設けられて穴部１２へチェーン３を挿通するチェーン挿通部１３と、穴部１２から複数切込まれてチェーン３に摺接する切込部１４とが形成されると共に、弾性を有している。
【００２０】
切込部１４は、穴部１２から鉛直方向に３本ずつ切り込まれた４つの直線状切込部１５と、穴部１２から放射状に１本ずつ切り込まれた４つの傾斜状切込部１６とを有し、これら直線状切込部１５は一端が一対の内リンクプレート５の上下面４箇所にそれぞれ当接するように予め設計され、これら傾斜状切込部１６は一端が一対の外リンクプレート６の上下面４箇所にそれぞれ当接するように予め設計されている。
【００２１】
一方、薄板材保持部１１は、コ字型形状を有する一対の分割体１７ａ，１７ｂと、これら分割体１７ａ，１７ｂを長手方向の両端近傍で締付け固定する一対の固定帯１８ａ，１８ｂと、チェーン切断検出装置４を挿通する取付用穴部１９とから成っており、内部がチェーン切断検出装置４の摺接部４ａを収納できる箱状体に予め設計されている。また、これら分割体１７ａ，１７ｂの長手方向の両端の内側には一対の薄板材１０をそれぞれ係合する溝部２０が形成されている。
【００２２】
次に、本発明の一実施形態に係る乗客コンベアのチェーン清掃装置の取付状態を図４、図５に基づいて説明する。
【００２３】
図４に示す一対の薄板材１０のチェーン挿通部１３をチェーン３にそれぞれ押し当てこれら薄板材１０の穴部１２にチェーン１３を挿通すると共に、これら薄板材１０を摺接部４ａの両側方にそれぞれ配置する。そして、一対の分割体１７ａ，１７ｂの溝部２０をこれらの薄板材１０の両側方からそれぞれ係合させ、分割体１７ａ，１７ｂの長手方向の両端近傍を一対の固定帯１８ａ，１８ｂで締付け固定して一体型とする。このとき、取付用穴部１９にチェーン切断検出装置４が挿通するように注意する。これによって、図５に示す状態に取り付けられる。
【００２４】
次に、本発明の一実施形態に係る乗客コンベアのチェーン清掃装置の動作を図６、図７に基づいて説明する。
【００２５】
本発明の一実施形態に係る乗客コンベアのチェーン清掃装置９では、薄板材１０の穴部１２にチェーン３を挿通させた状態でチェーン３を循環移動させると、内リンクプレート５及び外リンクプレート６に当接する切込部１４がチェーン３の移動に伴って追従する。図６に示すように、例えば、チェーン３に追従する薄板材１０が図２に示すＡ−Ａ線図に位置した場合、すなわち薄板材１０がチェーン３の高さ寸法の最大値に位置した場合、４つの直線状切込部１５が一対の内リンクプレート５の上下面にそれぞれ当接して曲げられる。そして、各直線状切込部１５の弾性により、これら内リンクプレート５の上下面に抵抗力を及ぼして内リンクプレート５の上下面に形成された半固形物８をそれぞれ除去する。また、４つの傾斜状切込部１６は、一対の外リンクプレート６の上下面４箇所に当接して開口すると共にそれぞれ曲げられる。そして、これら傾斜状切込部１６の弾性により、これら外リンクプレート６の上下面及び側面に抵抗力を及ぼして外リンクプレート６の上下面及び側面に形成された半固形物８をそれぞれ除去する。
【００２６】
一方、図７に示すように、チェーン３に追従する薄板材１０が図２に示すＢ−Ｂ線図に位置した場合、すなわち薄板材１０がチェーン３の高さ寸法の最小値に位置した場合、この位置に一対の内リンクプレート５が存在しないので、チェーン３に追従した４つの直線状切込部１５は弾性によって元の位置に戻る。また、４つの傾斜状切込部１６は、一対の外リンクプレート６の上下面４箇所に当接して曲げられる。そして、各傾斜状切込部１６の弾性により、これら外リンクプレート６の上下面に抵抗力を及ぼして外リンクプレート６の上下面に形成された半固形物８をそれぞれ除去する。
【００２７】
このように構成した本発明の一実施形態に係る乗客コンベアのチェーン清掃装置９によれば、薄板材１０のチェーン挿通部１３をチェーン３に押し当て穴部１２にチェーン３を挿通させ、この状態でチェーン３を循環移動させると、４つの直線状切込部１５が一対の内リンクプレート５の上下面にそれぞれ追従すると共に、４つの傾斜状切込部１６が一対の外リンクプレート６の上下面にそれぞれ追従する。そして、これら直線状切込部１５及び傾斜状切込部１６の切込と弾性により、高さ位置の異なるこれら内リンクプレート５及び外リンクプレート６の上下面と側面に抵抗力が適切に働いてこれら内リンクプレート５及び外リンクプレート６の上下面と側面に形成された半固形物８をそれぞれ除去することができる。これにより、チェーン３に付着したヘドロ状の半固形物８の取りこぼしを少なくすることができ、高い清掃能力を確保することができる。
【００２８】
また、本発明の一実施形態では、薄板材１０に設けられたチェーン挿通部１３をチェーン３に挿通させるだけで容易にチェーン清掃装置９を取り付けることができ、また取り外すことができ、このチェーン清掃装置９の着脱作業が簡便であり、利便性がよい。これにより、チェーン清掃装置９の着脱作業の時間を短縮することができ、このチェーン清掃装置９の着脱作業の効率を高めることができる。
【００２９】
また、本発明の一実施形態では、薄板材１０の切込部１４によって除去したヘドロ状の半固形物８を箱状体の薄板材保持部１１の中に収めることができるので、除去したヘドロ状の半固形物８が飛散することを防止することができ、飛散によって再度チェーン３に付着することを防止することができる。これにより、清掃作業の能率を向上させることができる。
【００３０】
また、本発明の一実施形態では、箱状体の薄板材保持部１１の取付用穴部１９からチェーン切断検出装置４を挿通させることができる構成であるので、チェーン切断検出装置４と一体型とすることができ、容易に設置することができると共に、スペースを取ることなく安定した配置を実現することができる。
【００３１】
また、本発明の一実施形態では、薄板材１０の直線状切込部１５及び傾斜状切込部１６が穴部１２の上下位置に設けられていることにより、清掃することが困難なチェーン３の内側周面をも清掃することができる。
【００３２】
また、本発明の一実施形態では、薄板材保持部１１が一対の薄板材１０を長手方向の両端近傍でそれぞれ保持しているので、チェーン３が逆方向に循環移動させても上述した同様の効果が得られる。このように、チェーン３の双方向の移動に対応することができるので、汎用性が高い。
【００３３】
なお、本発明の一実施形態では、薄板材保持部１１が箱状体である場合について説明したが、除去したヘドロ状の半固形物８を収容できる形状であれば、箱状体でなくてもよい。
【００３４】
また、本発明の一実施形態では、チェーン挿通部１３を穴部１２の側面から外側へ設けた場合について説明したが、チェーン挿通部１３を穴部１２の周面のどの位置に設けてもよい。
【００３５】
また、本発明の一実施形態では、薄板材保持部１１が一対の分割体１７ａ，１７ｂの長手方向の両端近傍を一対の固定帯１８ａ，１８ｂでそれぞれ締付け固定して一体型とした場合について説明したが、一対の固定帯１８ａ，１８ｂの代わりに、一対の分割体１７ａ，１７ｂに連結部材をそれぞれ設けて一体型としてもよい。
【符号の説明】
【００３６】
３  チェーン
４  チェーン切断検出装置
４ａ  摺接部
５  内リンクプレート
６  外リンクプレート
７  ローラ部
８  半固形物
９  チェーン清掃装置
１０  薄板材
１１  薄板材保持部
１２  穴部
１３  チェーン挿通部
１４  切込部
１５  直線状切込部
１６  傾斜状切込部
１７ａ，１７ｂ  分割体
１８ａ，１８ｂ  固定帯
１９  取付用穴部
２０  溝部
【図１】
2010168160.tif 000003
【図２】
2010168160.tif 000004
【図３】
2010168160.tif 000005
【図４】
2010168160.tif 000006
【図５】
2010168160.tif 000007
【図６】
2010168160.tif 000008
【図７】
2010168160.tif 000009